(57)【要約】【課題】容易に開き戸を開いた状態で係止することができる開き戸用ストッパを提供することを目的とする。【解決手段】開き戸を開いた状態で係止する開き戸用ストッパであって、床から立設状態に固定されたシャフト部と、シャフト部を中心に回動可能に一端がシャフト部に接続された、水平方向に伸長する係止する開き戸の厚みよりも長いアーム部と、アーム部の他端に形成されて開き戸が閉まる方向の開き戸の面に当接し開き戸を開いた状態で係止するフック部と、を備えたことを特徴とする開き戸用ストッパとする。【選択図】図１
2013060785.tif 000002
【特許請求の範囲】
【請求項１】
開き戸を開いた状態で係止する開き戸用ストッパであって、
床から立設状態に固定されたシャフト部と、
該シャフト部を中心に回動可能に一端が該シャフト部に接続された、水平方向に伸長する係止する開き戸の厚みよりも長いアーム部と、
該アーム部の他端に形成されて該開き戸が閉まる方向の開き戸の面に当接し該開き戸を開いた状態で係止するフック部と、
を備えたことを特徴とする開き戸用ストッパ。
【請求項２】
前記開き戸の下端と床面との間には所定距離の隙間があり、
前記アーム部は該所定距離より薄い板からなり、前記シャフト部には該開き戸の下端より低い位置で接続され、
前記フック部は該アーム部の前記他端を折り曲げることで形成される、
ことを特徴とする請求項１に記載の開き戸用ストッパ。
【発明の詳細な説明】
【技術分野】
【０００１】
本発明は、開き戸を開いた状態で係止する開き戸用ストッパに関する。
【背景技術】
【０００２】
従来、開き戸を開いた状態で係止するストッパとしては、例えば特許文献１に開示されるように、楔状ストッパが広く使用されている。具体的には、開き戸を開いた状態とし、人が屈んで開き戸の下端と床面の間の隙間にストッパを差込むことによって、開き戸が自然に閉じてしまうことを防止するものである。
【０００３】
開き戸が閉じられる際には、人が屈んでストッパを指でつまみ、開き戸の下端と床面の間の隙間からストッパが引き抜かれ、ストッパによる開き戸の係止が解除されることになる。
【先行技術文献】
【特許文献】
【０００４】
【特許文献１】実開平０１―０７０９７２号公報
【発明の概要】
【発明が解決しようとする課題】
【０００５】
しかしながら、上述のようなストッパを用いる場合には、ストッパで開き戸を開いた状態で係止する際には、屈んだ状態で開き戸が閉じないように開き戸を抑えながら、開き戸の下端と床面との間の隙間にストッパを差込まなければならないため、作業性が悪いという問題があった。
【０００６】
同様に、ストッパによる開き戸の係止を解除する際においても、屈んだ状態で開き戸をわずかに開くように力を加えながら、ストッパを指でつままなければならないため、作業性が悪いという問題があった。また、ストッパが開き戸の重みで動いてしまい、開き戸を十分に固定できない場合がある。
【０００７】
そこで、本発明は、容易に開き戸を開いた状態で係止することができる開き戸用ストッパを提供することを目的とする。
【課題を解決するための手段】
【０００８】
本発明では、開き戸を開いた状態で係止する開き戸用ストッパであって、床から立設状態に固定されたシャフト部と、シャフト部を中心に回動可能に一端がシャフト部に接続された、水平方向に伸長する係止する開き戸の厚みよりも長いアーム部と、アーム部の他端に形成されて開き戸が閉まる方向の開き戸の面に当接し開き戸を開いた状態で係止するフック部と、を備えたことを特徴とする開き戸用ストッパが提供される。
【０００９】
好ましくは、開き戸の下端と床面との間には所定距離の隙間があり、アーム部は所定距離より薄い板からなり、シャフト部には開き戸の下端より低い位置で接続され、フック部はアーム部の他端を折り曲げることで形成される、こととする。
【発明の効果】
【００１０】
本発明によれば、容易に開き戸を開いた状態で係止することができる開き戸用ストッパが提供される。具体的には、ストッパのフック部をシャフト部を中心に回動させるだけで開き戸を係止することができる上、ストッパは床から立設状態で固定されたシャフト部に接続されているので、開き戸の重みで開き戸が自然に動くことがない。
【００１１】
さらに、ストッパのアーム部を開き戸の下端と床面の間の隙間より薄く形成し、アーム部は開き戸の下端より下に配設することで、人が足でアーム部を回動させることができる。
【図面の簡単な説明】
【００１２】
【図１】開き戸用ストッパの適用箇所の概要について示す図である。
【図２】開き戸用ストッパの構成について示す斜視図である。
【図３】（Ａ）は開き戸が閉じた状態について示す平面図である。（Ｂ）は開き戸が開き戸用ストッパに係止される状態について示す平面図である。
【図４】他の実施形態の開き戸用ストッパの構成について示す斜視図である。
【図５】（Ａ）は他の実施形態において開き戸が閉じた状態について示す平面図である。（Ｂ）は他の実施形態において開き戸が開き戸用ストッパに係止される状態について示す平面図である。
【発明を実施するための形態】
【００１３】
以下、本発明の実施形態を図面を参照して詳細に説明する。図１は、開き戸用ストッパ１の適用箇所の概要について示す図である。壁１０には人の通行が可能な開口部１１が形成され、この開口部１１を閉鎖可能、あるいは、開放可能とするように開き戸１２が設けられている。
【００１４】
開き戸１２は、図示せぬ蝶番などの開閉支持部材によって開口部１１の縦枠箇所に固定されており、図において手前側に開かれるようになっている。また、床１３と開き戸１２の下端１２ｂの間には、所定距離Ｈの隙間Ｓが形成されており、この隙間によって、スムーズに開き戸１２の開閉操作が可能となっている。
【００１５】
そして、この開き戸１２を開いた状態に維持するために、開き戸用ストッパ１が使用される。図２は、開き戸用ストッパ１の構成について示す斜視図であり、開き戸用ストッパ１は、床から立設状態に固定されたシャフト部２と、スペーサー４と、シャフト部２を中心に回動可能に一端がシャフト部２に接続された水平方向に伸長し開き戸１２の厚みＷ（図３（Ａ）参照）よりも長いアーム部６と、アーム部６の他端に形成されて開き戸１２が閉まる方向の開き戸の面（表面１２ａ）に当接し開き戸１２を開いた状態で係止するフック部７と、キャップ８を備えて構成される。
【００１６】
以下詳述すると、シャフト部２は、棒状の部材にて構成されており、床１３から上方に突出するように床１３に立設される。シャフト部２の床１３から突出した部位には、アーム部６が回動可能に設けられる。
【００１７】
アーム部６が床１３に接触してしまうと、アーム部６の下面が擦れることで、アーム部６が回動し難くなることが想定される。このため、シャフト部２にはアーム部６よりも下側の位置に円環状のスペーサー４が装着され、スペーサー４の厚みによって、アーム部６と床１３の間に隙間を確保し、アーム部６をスムーズに回動可能としている。
【００１８】
アーム部６は、長尺の平面部６ａと、平面部６ａの一端側から上方に延出するフック部７を有する板状の部材にて構成される。平面部６ａにおけるフック部７の反対側の端部には、上下方向の貫通穴部６ｂが形成されており、この貫通穴部６ｂにシャフト部２を貫通させることによって、シャフト部２に対してアーム部６が回動可能に設けられる。
【００１９】
アーム部６に形成されるフック部７は、後述するように、開き戸１２の表面１２ａが係止されるものである。このため、開き戸１２の表面１２ａに傷を付けないようにするために、フック部７の表面１２ａの側の部位には、ゴムや樹脂などからなる緩衝部材７ａが配設されることが好ましい。なお、フック部７の全体を緩衝部材７ａにて覆うこととしてもよい。
【００２０】
また、図１に示すように、開き戸１２の下端と床（床面）との間には所定距離Ｈの隙間Ｓがあり、アーム部６の平面部６ａは所定距離Ｈより薄い板からなり、シャフト部２には開き戸１２の下端より低い位置で接続され、フック部７はアーム部６の他端を折り曲げることで形成されることとしている。
【００２１】
シャフト部２の上端部には、キャップ８が装着される。本実施形態では、キャップ８はシャフト部２よりも大径の円盤状部材にて構成され、開き戸１２が大きく開かれた際に、開き戸１２がシャフト部２に直接衝突し、シャフト部２が損傷してしまうことが防止される。また、開き戸１２の表面１２ａに傷を付けないようにするため、また、衝突した際の衝撃を和らげるために、キャップ８はゴムや樹脂などからなる緩衝部材にて構成されることが好ましい。
【００２２】
次に、開き戸用ストッパ１の使用の耐用について説明する。図３（Ａ）は、開き戸１２が閉じた状態について示す平面図である。閉じられた開き戸１２が開かれると、開き戸１２の戸先１２ｃ側が円弧を描くようにして、開き戸用ストッパ１に近づくことになる。この際、キャップ８が緩衝部材に構成されることで、開き戸１２がキャップ８に衝突した場合であっても、開き戸１２の傷の発生や、強い衝撃の発生が防止される。
【００２３】
図３（Ｂ）は、開き戸１２が開き戸用ストッパ１に係止される状態について示す平面図である。開かれた開き戸１２に対し、開き戸用ストッパ１のアーム部６を回転させて、フック部７を床１３側から突出させるようにして、フック部７を開き戸１２の表面１２ａに係止させる。これにより、開き戸１２が勝手に回動して閉まることを防止できる。つまりは、開き戸１２を開いた状態に維持できる。
【００２４】
開き戸１２を閉じる場合には、開き戸用ストッパ１のアーム部６を回動させて、アーム部６による開き戸１２の係止を解除すればよい。
【００２５】
以上のように開き戸用ストッパ１を使用することで、開き戸１２を開いた状態に維持する、あるいは、開いた状態の開き戸１２を閉じることが容易に行える。操作としては、開き戸用ストッパ１のアーム部６の回動だけであり、その操作性は良好なものである。
【００２６】
また、特に、床１３に近い位置にアーム部６が設置されることで、例えば、屈まずに立った状態において足のつま先側でアーム部６のフック部７を操作することも可能である。以上に説明した実施形態では、図１に示すように、ストッパのアーム部６（平面部６ａ）を開き戸１２の下端１２ｂと床１３（床面）の間の隙間Ｓより薄く形成し、アーム部は開き戸の下端より下に配設することで、人が足でアーム部を回動させることができる。
【００２７】
次に、図４に示される他の実施形態の開き戸用ストッパ２０の構成について説明する。開き戸用ストッパ２０は、床から立設状態に固定されたシャフト部２２と、スペーサー２４と、シャフト部２２を中心に回動可能に一端がシャフト部２２に接続された水平方向に伸長し開き戸１２の厚みＷ（図５（Ａ）参照）よりも長いアーム部２６と、アーム部２６の他端に形成されて開き戸１２が閉まる方向の開き戸の面（表面１２ａ）に当接し開き戸１２を開いた状態で係止するフック部２７と、キャップ２８を備えて構成される。
【００２８】
シャフト部２２は、棒状の部材にて構成されており、床１３から上方に突出するように床１３に立設される。シャフト部２２の床１３から突出した部位には、アーム部２６が回動可能に設けられる。
【００２９】
アーム部２６は、長尺の水平延出２６ａと、水平延出２６ａの一端側から略９０度屈折する方向に水平方向に延出するフック部２７を有する板状の部材にて構成される。水平延出２６ａにおけるフック部２７の反対側の端部には、上下方向の貫通穴部２６ｂが形成されており、この貫通穴部２６ｂにシャフト部２２を貫通させることによって、シャフト部２２に対してアーム部２６が回動可能に設けられる。
【００３０】
アーム部２６に形成されるフック部２７は、後述するように、開き戸１２の表面１２ａが係止されるものである。このため、開き戸１２の表面１２ａに傷を付けないようにするために、フック部２７の表面１２ａの側の部位には、ゴムや樹脂などからなる緩衝部材２７ａが配設されることが好ましい。なお、フック部２７の全体を緩衝部材２７ａにて覆うこととしてもよい。
【００３１】
シャフト部２２の上端部には、キャップ２８が装着され、シャフト部２２の上端部がキャップ２８にて覆われるようになっている。キャップ２８に衝突した際の衝撃を和らげるために、ゴムや樹脂などからなる緩衝部材にて構成されることが好ましい。
【００３２】
シャフト部２２は、筒状のスペーサー２４が覆われており、スペーサー２４の上端部には、アーム部２６が載置されている。これにより、スペーサー２４の上下寸法によってアーム部２６の床１３からの位置を設定することができる。アーム部２６を床１３から離した位置（例えば、床１３から３０ｃｍ以内程度とすることが好ましい）に配置することによれば、車椅子利用者にとって手の届き易く、操作し易い構成が実現できる。
【００３３】
このスペーサー２４についても、衝突した際の衝撃を和らげるために、ゴムや樹脂などからなる緩衝部材にて構成されることが好ましい。
【００３４】
図５（Ａ）は、開き戸１２が閉じた状態について示す平面図である。閉じられた開き戸１２が開かれると、開き戸１２の戸先１２ｃ側が円弧を描くようにして、開き戸用ストッパ２０に近づくことになる。この際、キャップ２８やスペーサー２４が緩衝部材に構成されることで、開き戸１２がキャップ２８やスペーサー２４に衝突した場合であっても、開き戸１２の傷の発生や、強い衝撃の発生が防止される。
【００３５】
図５（Ｂ）は、開き戸１２が開き戸用ストッパ２０に係止される状態について示す平面図である。開き戸用ストッパ２０は、開き戸１２が開いた状態において、アーム部２６を回動させてフック部２７が開き戸１２の表面１２ａに係止できる位置に配置される。
【００３６】
開き戸用ストッパ２０を使用する際には、開き戸用ストッパ２０のアーム部２６を回転させ、開き戸１２の戸先１２ｃにフック部２７を横から引っ掛けるように係止させる。これにより、開き戸１２が勝手に回動して閉まることを防止できる。つまりは、開き戸１２を開いた状態に維持できる。
【００３７】
開き戸１２を閉じる場合には、開き戸用ストッパ２０のアーム部２６を回動させて、アーム部２６による開き戸１２の係止を解除すればよい。
【００３８】
以上のように開き戸用ストッパ２０を使用することで、開き戸１２を開いた状態に維持する、あるいは、開いた状態の開き戸１２を閉じることが容易に行える。操作としては、開き戸用ストッパ２０のアーム部２６の回動だけであり、その操作性は良好なものである。また、特に、床１３に近い位置にアーム部２６が設置されることで、例えば、屈まずに立った状態において足のつま先側でアーム部２６のフック部２７を操作することも可能である。
【符号の説明】
【００３９】
１    開き戸用ストッパ
２    シャフト部
４    スペーサー
６    アーム部
６ａ    平面部
６ｂ    貫通穴部
７    フック部
７ａ  緩衝部材
８    キャップ
１０    壁
１１    開口部
１２    開き戸
１２ａ    表面
１２ｂ    下端
１２ｃ    戸先
１３    床
Ｈ    所定距離
Ｓ    隙間
【図１】
2013060785.tif 000003
【図２】
2013060785.tif 000004
【図３】
2013060785.tif 000005
【図４】
2013060785.tif 000006
【図５】
2013060785.tif 000007